(57)【要約】【課題】ガラス開閉時の応力に起因するズレ移動を防止することのできるガラスランを提供する。【解決手段】ガラスランを構成する押出成形部２，４及び型成形部６は共にＴＰＯにより構成される。ガラスランは、サッシュＤＳ１，ＤＳ２に対し嵌込により取付けられる。型成形部６の後縦辺部３２に対応して、基底部内にＰＰ製のインサート部材２１が埋設されている。ガラスランの取付状態にあっては、基底部から突出状態にある係止突部２３がサッシュＤＳ２の上端部に当接または近接状態をとりうることで、サッシュＤＳ２に対し係止可能となっている。さらに、基部２２の上端部２２ａが上押出成形部２の下辺延長線Ｚより上方に位置している。【選択図】      図５
2006298071.tif 000002
【特許請求の範囲】
【請求項１】
昇降するドアガラスを有してなる自動車用フロントドアのドアフレームに沿って取付けられ、
基底部及び当該基底部から延びる一対の側壁部よりなる断面略コ字状をなし、前記ドアフレームのサッシュに嵌め込まれる本体部と、
前記両側壁部の略先端から本体部内側に延び、前記ドアガラスとの間でシールを行う一対のシールリップとを有し、
前記ドアフレームの後上コーナー部に対応する部位が、前記ドアフレームの上辺部に沿って配設される上押出成形部と、前記ドアフレームの後縦辺部に沿って配設される縦押出成形部とに接続成形された型成形部により構成されたガラスランであって、
前記型成形部の基底部において、当該型成形部を構成する素材よりも硬質の素材よりなり、前記基底部に固定される基部と、当該基部から前記ドアフレームの後縦辺部側に向かって突出しかつ前記サッシュ側の被係止部に対し係止可能な係止突部とを具備し、少なくとも前記基部の上端部が前記上押出成形部の下辺延長線上又はそれより上方に位置するように配設された硬質部材を備えたことを特徴とするガラスラン。
【請求項２】
昇降するドアガラスを有してなる自動車用フロントドアのドアフレームに沿って取付けられ、
基底部及び当該基底部から延びる一対の側壁部よりなる断面略コ字状をなし、前記ドアフレームのサッシュに嵌め込まれる本体部と、
前記両側壁部の略先端から本体部内側に延び、前記ドアガラスとの間でシールを行う一対のシールリップとを有し、
前記ドアフレームの後上コーナー部に対応する部位が、前記ドアフレームの上辺部に沿って配設される上押出成形部と、前記ドアフレームの後縦辺部に沿って配設される縦押出成形部とに接続成形された型成形部により構成されたガラスランであって、
前記型成形部の基底部において、当該型成形部を構成する素材よりも硬質の素材よりなり、前記基底部に固定される基部と、当該基部から前記ドアフレームの後縦辺部側に向かって突出しかつ前記サッシュ側の被係止部に対し係止可能な係止突部と、当該係止突部より上方位置において前記基部から前記ドアフレームの後縦辺部側に向かって突出しかつ前記後上コーナー部における前記サッシュの非形成区間において前記ドアフレームの本体部に略当接する当接突部とを具備し、少なくとも前記基部の上端部及び前記当接突部が前記上押出成形部の下辺延長線上又はそれより上方に位置するように配設された硬質部材を備えたことを特徴とするガラスラン。
【請求項３】
前記係止突部は、前記サッシュに形成された孔若しくは凹部、又は、サッシュの上端部に対し係止可能に構成されていることを特徴とする請求項１又は２に記載のガラスラン。
【請求項４】
昇降するドアガラスを有してなる自動車用フロントドアのドアフレームに沿って取付けられ、
基底部及び当該基底部から延びる一対の側壁部よりなる断面略コ字状をなし、前記ドアフレームのサッシュに嵌め込まれる本体部と、
前記両側壁部の略先端から本体部内側に延び、前記ドアガラスとの間でシールを行う一対のシールリップとを有し、
前記ドアフレームの後上コーナー部に対応する部位が、前記ドアフレームの上辺部に沿って配設される上押出成形部と、前記ドアフレームの後縦辺部に沿って配設される縦押出成形部とに接続成形された型成形部により構成されたガラスランであって、
前記型成形部の基底部において、当該型成形部を構成する素材よりも硬質の素材よりなり、前記上押出成形部の下辺延長線上又はそれより上方に位置において前記ドアフレームの後縦辺部側に向かって突出しかつ前記後上コーナー部における前記サッシュの非形成区間において前記ドアフレームの本体部に略当接する当接突部を具備した硬質部材を備えたことを特徴とするガラスラン。
【請求項５】
前記型成形部は、前記上押出成形部の端部に接続される上辺部と、当該上辺部に交わる方向に延び、前記縦押出成形部の端部に接続される後縦辺部とにより略Ｌ字状に構成され、
前記硬質部材は、前記型成形部の後縦辺部に配設されていることを特徴とする請求項１乃至４のいずれかに記載のガラスラン。
【請求項６】
前記硬質部材は、前記型成形部の基底部にインサート成形されていることを特徴とする請求項１乃至５のいずれかに記載のガラスラン。
【請求項７】
前記硬質部材は、前記型成形部の基底部に溶着又は接着されていることを特徴とする請求項１乃至５のいずれかに記載のガラスラン。
【請求項８】
前記硬質部材は、前記型成形部と相溶性のある素材により構成されていることを特徴とする請求項１乃至７のいずれかに記載のガラスラン。
【請求項９】
前記型成形部はオレフィン系熱可塑性エラストマー（ＴＰＯ）により構成され、前記硬質部材はポリオレフィン系樹脂により構成されていることを特徴とする請求項１乃至８のいずれかに記載のガラスラン。
【発明の詳細な説明】
【技術分野】
【０００１】
本発明は、ガラスランに関するものである。
【背景技術】
【０００２】
ガラスランは、基底部及び該基底部から延びる一対の側壁部よりなり断面略コ字状をなす本体部と、前記両側壁部の略先端から本体部内側に延びる一対のシールリップとを有する。上記ガラスランは、本体部が車両の本体又はドアに設けられたサッシュに取着され、ガラスの車内側及び車外側が前記一対のシールリップによりシールされる。
【０００３】
一般にガラスランは、その長手方向に延びる押出成形部とコーナー部に設けられる型成形部とに区別される。すなわち、押出成形部は、押出成形機によりほぼ直線状に（長尺状に）形成される。また、コーナー部分に対応する型成形部は、例えば２つの押出成形部が所定の角度をなした状態で相互に接続されるように所定の金型にて形成される。
【０００４】
従来、ガラスランを構成する素材としては、エチレン−α−オレフィン非共役ジエン共重合体（ＥＰＤＭ、以下単に「ＥＰＤＭ」とする）や、オレフィン系熱可塑性エラストマー（ＴＰＯ、以下単に「ＴＰＯ」とする）等が知られている。
【０００５】
ところで、ガラスの開閉応力が、ガラスランに作用することがある。この場合、ガラスランがズレ移動等を起こすことが懸念される。かかるズレ移動を防止するための技術として、コーナー部等に、移動防止用のストッパを一体的に設けることが知られている。このようなストッパがサッシュ側の被当接部に当接されることで、移動の規制が図られている（例えば、特許文献１乃至特許文献６参照）。
【特許文献１】特開２０００−１５８９５０号公報
【特許文献２】特開２０００−１０３２４２号公報
【特許文献３】特開２００３−１１８３７２号公報
【特許文献４】特開平８−２１６６９４号公報
【特許文献５】特開平９−３９５７９号公報
【特許文献６】特開平９−３００９７９号公報
【発明の開示】
【発明が解決しようとする課題】
【０００６】
ところが、自動車用フロントドアのようにドア上辺部の少なくとも一部が後方へ向け上方傾斜していると、ガラスランの上辺部にはガラス当接時において後方へのズレ応力がかかる。さらに、後上コーナー部においてはドアフレームにサッシュが形成されていない区間が存在する。このため、図８に示すようにガラスラン８０にストッパ８１を一体的に設けたとしても、ガラスラン８０の上辺部が後方へズレ移動を起こすおそれがある。その結果、ドアフレーム８３の後上コーナー部では、サッシュ８５の非形成区間８６においてガラスラン８０のコーナー部（型成形部）が変形する、いわゆる“たくれ”が発生するおそれがある。
【０００７】
これに対し、ガラスランの前上コーナー部にストッパを設け、ガラスランの上辺部の後方へのズレ移動を規制したとしても、弾性材料よりなるガラスランの上辺部はガラスの当接状態で徐々に後方へたぐり寄せられ、同様の不具合が発生するおそれがある。
【０００８】
本発明は上記事情に鑑みてなされたものであり、その目的は、ガラス開閉時の応力に起因するズレ移動を防止することのできるガラスランを提供することである。
【課題を解決するための手段】
【０００９】
以下、上記目的等を解決するのに適した各手段につき項分けして説明する。なお、必要に応じて対応する手段に特有の作用効果等を付記する。
【００１０】
手段１．昇降するドアガラスを有してなる自動車用フロントドアのドアフレームに沿って取付けられ、
基底部及び当該基底部から延びる一対の側壁部よりなる断面略コ字状をなし、前記ドアフレームのサッシュに嵌め込まれる本体部と、
前記両側壁部の略先端から本体部内側に延び、前記ドアガラスとの間でシールを行う一対のシールリップとを有し、
前記ドアフレームの後上コーナー部に対応する部位が、前記ドアフレームの上辺部に沿って配設される上押出成形部と、前記ドアフレームの後縦辺部に沿って配設される縦押出成形部とに接続成形された型成形部により構成されたガラスランであって、
前記型成形部の基底部において、当該型成形部を構成する素材よりも硬質の素材よりなり、前記基底部に固定される基部と、当該基部から前記ドアフレームの後縦辺部側に向かって突出しかつ前記サッシュ側の被係止部に対し係止可能な係止突部とを具備し、少なくとも前記基部の上端部が前記上押出成形部の下辺延長線上又はそれより上方に位置するように配設された硬質部材を備えたことを特徴とするガラスラン。
【００１１】
上記手段１によれば、上記硬質部材を備えることにより、型成形部の後縦辺部分の剛性を高めることができる。仮に硬質部材の基部の上端部が上押出成形部の下辺延長線より下方に位置した構成では、ガラスランの上辺部（上押出成形部）に後方へのズレ応力がかかった場合、上押出成形部の下辺延長線より下方位置において型成形部の後縦辺部分が後方へ倒れ、上記課題で述べたたくれが発生してしまうおそれが残る。この点、本手段の構成では、硬質部材の基部の上端部が上押出成形部の下辺延長線上又はそれより上方に位置しているため、ガラスランの上辺部（上押出成形部）に後方へのズレ応力がかかった場合でも、硬質部材の係止突部がサッシュ側の被係止部に係止されることにより型成形部の下方へのズレ移動を規制するとともに、型成形部の後縦辺部分の後方への倒れを規制することができる。結果として、ガラス閉時の応力に起因する型成形部の変形を抑え、ガラスランの上辺部のズレ移動を防止することができる。もちろん、上記係止突部によりガラス開時の応力に起因するガラスランの下方へのズレ移動も防止できる。なお、硬質部材の基部の下端部や係止突部の位置はサッシュ側の被係止部の位置によって異なるため、例えば上押出成形部の下辺延長線より下方に基部の下端部や係止突部が位置している構成や、硬質部材全体が上押出成形部の下辺延長線より上方に位置している構成などが考えられるが、硬質部材の基部の下端部や係止突部の位置がいかなる位置でも係止突部より下方部分はサッシュによって必ず後方への応力を規制することができるため、上記作用効果が損なわれることはない。
【００１２】
手段２．昇降するドアガラスを有してなる自動車用フロントドアのドアフレームに沿って取付けられ、
基底部及び当該基底部から延びる一対の側壁部よりなる断面略コ字状をなし、前記ドアフレームのサッシュに嵌め込まれる本体部と、
前記両側壁部の略先端から本体部内側に延び、前記ドアガラスとの間でシールを行う一対のシールリップとを有し、
前記ドアフレームの後上コーナー部に対応する部位が、前記ドアフレームの上辺部に沿って配設される上押出成形部と、前記ドアフレームの後縦辺部に沿って配設される縦押出成形部とに接続成形された型成形部により構成されたガラスランであって、
前記型成形部の基底部において、当該型成形部を構成する素材よりも硬質の素材よりなり、前記基底部に固定される基部と、当該基部から前記ドアフレームの後縦辺部側に向かって突出しかつ前記サッシュ側の被係止部に対し係止可能な係止突部と、当該係止突部より上方位置において前記基部から前記ドアフレームの後縦辺部側に向かって突出しかつ前記後上コーナー部における前記サッシュの非形成区間において前記ドアフレームの本体部に略当接する当接突部とを具備し、少なくとも前記基部の上端部及び前記当接突部が前記上押出成形部の下辺延長線上又はそれより上方に位置するように配設された硬質部材を備えたことを特徴とするガラスラン。
【００１３】
上記手段２によれば、上記手段１と同様の作用効果が奏される。加えて、上記当接突部を備えることにより、型成形部の後縦辺部分の後方への倒れをより確実に防止することができる。
【００１４】
手段３．前記係止突部は、前記サッシュに形成された孔若しくは凹部、又は、サッシュの上端部に対し係止可能に構成されていることを特徴とする手段１又は２に記載のガラスラン。
【００１５】
なお、上記係止突部とサッシュの孔若しくは凹部とは、正確に形状が合致していなくてもよく、若干移動した後で係止突部が孔等の縁部に係止されるような構成でもよい。
【００１６】
手段４．昇降するドアガラスを有してなる自動車用フロントドアのドアフレームに沿って取付けられ、
基底部及び当該基底部から延びる一対の側壁部よりなる断面略コ字状をなし、前記ドアフレームのサッシュに嵌め込まれる本体部と、
前記両側壁部の略先端から本体部内側に延び、前記ドアガラスとの間でシールを行う一対のシールリップとを有し、
前記ドアフレームの後上コーナー部に対応する部位が、前記ドアフレームの上辺部に沿って配設される上押出成形部と、前記ドアフレームの後縦辺部に沿って配設される縦押出成形部とに接続成形された型成形部により構成されたガラスランであって、
前記型成形部の基底部において、当該型成形部を構成する素材よりも硬質の素材よりなり、前記上押出成形部の下辺延長線上又はそれより上方に位置において前記ドアフレームの後縦辺部側に向かって突出しかつ前記後上コーナー部における前記サッシュの非形成区間において前記ドアフレームの本体部に略当接する当接突部を具備した硬質部材を備えたことを特徴とするガラスラン。
【００１７】
上記手段４によれば、ガラスランの上辺部（上押出成形部）に後方へのズレ応力がかかった場合でも、型成形部の後縦辺部分の後方への倒れを規制することができる。結果として、ガラス閉時の応力に起因する型成形部の変形を抑え、ガラスランの上辺部のズレ移動を防止することができる。なお、「当接突部を具備した硬質部材」とあるが、硬質部材が当接突部のみからなる場合も含まれることはいうまでもない。
【００１８】
手段５．前記型成形部は、前記上押出成形部の端部に接続される上辺部と、当該上辺部に交わる方向に延び、前記縦押出成形部の端部に接続される後縦辺部とにより略Ｌ字状に構成され、
前記硬質部材は、前記型成形部の後縦辺部に配設されていることを特徴とする手段１乃至４のいずれかに記載のガラスラン。
【００１９】
手段６．前記硬質部材は、前記型成形部の基底部にインサート成形されていることを特徴とする手段１乃至５のいずれかに記載のガラスラン。
【００２０】
上記手段６によれば、硬質部材が型成形部の成形に際しインサート成形（埋設）されることから、別途硬質部材を装着したりする等の手間を省くことができ、製造に際しての作業性低下を防止できる。
【００２１】
手段７．前記硬質部材は、前記型成形部の基底部に溶着又は接着されていることを特徴とする手段１乃至５のいずれかに記載のガラスラン。
【００２２】
手段８．前記硬質部材は、前記型成形部と相溶性のある素材により構成されていることを特徴とする手段１乃至７のいずれかに記載のガラスラン。
【００２３】
上記手段８によれば、硬質部材が型成形部と相溶性のある素材により構成されているため、型成形部において硬質部材が型成形部の素材から剥離したり、脱落したりしてしまうといった事態が起こりにくい。そのため、硬質部材の基部などに孔開け加工等を施して型成形部を構成する素材で連結等することを行わずとも、強固な取付状態（埋設状態）を維持することができる。但し、より強固な埋設状態を確保するべく、硬質部材に孔開け加工を施してもよい。
【００２４】
手段９．前記型成形部はオレフィン系熱可塑性エラストマー（ＴＰＯ）により構成され、前記硬質部材はポリオレフィン系樹脂により構成されていることを特徴とする手段１乃至８のいずれかに記載のガラスラン。
【００２５】
上記手段９によれば、ＴＰＯよりなる型成形部と、ポリプロピレン、高密度ポリエチレン等のポリオレフィン系樹脂よりなる硬質部材とが相溶性を有するため、上記手段８に記載の作用効果が奏される。また、型成形部に関し、所定の弾性を確保することができ、ガラスランとしての機能を十分に発揮せしめることができる。
【発明を実施するための最良の形態】
【００２６】
（第１実施形態）
以下に、第１実施形態について図面を参照しつつ説明する。
【００２７】
昇降するドアガラスを有してなる自動車用フロントドアのドアフレームには、当該ドアフレームに沿ってガラスランが取付けられるようになっている。より詳しく説明すると、図１に示すように、インナパネルＰ１及びアウタパネルＰ２よりなるドアフレーム（ドアフレーム本体部）ＤＦには、例えば当該ドアフレームＤＦの上辺部ＤＦ１に沿ってサッシュＤＳ１が設けられ、後縦辺部ＤＦ２に沿ってサッシュＤＳ２が設けられており、当該サッシュＤＳ１，ＤＳ２の内周にガラスラン１が取付けられる。また、ドアフレームＤＦの後上コーナー部においては、サッシュＤＳ１，ＤＳ２が存在しない区間（非形成区間Ｗ：図５参照）が存在する。
【００２８】
ガラスラン１は、図２に示すように、その長手方向にみて上辺部に対応する上押出成形部２、前後の縦辺部に対応する縦押出成形部３，４と、各押出成形部２，３，４の端部同士を接続する型成形部５，６（図２で散点模様を付した部分）とに区別される。各押出成形部２〜４は、図示しない押出成形機によりほぼ直線状に（長尺状に）形成される。また、型成形部５，６は、２つの押出成形部２，３及び２，４が所定の角度をなした状態で相互に接続されるように図示しない金型装置にて接続成形される。本実施形態における型成形部５，６はコーナー部分に対応する。
【００２９】
図３は押出成形部４を示す図２のＪ−Ｊ線断面図であり、図４は型成形部６を示すＫ−Ｋ線断面図である。これらの図に示すように、押出成形部２〜４及び型成形部５，６ともに、本体部１１及び一対のシールリップ１２，１３を備えている。本体部１１は、前記サッシュＤＳ１，ＤＳ２に嵌め込まれる基底部１４及び該基底部１４から延びる車内側側壁部１５及び車外側側壁部１６よりなっている。また、シールリップ１２，１３は、前記両側壁部１５，１６の略先端からそれぞれ本体部１１の内側（基底部１４方向）に向かって延びており、これによりドアガラスＧの車内側及び車外側がそれぞれシールされるようになっている。なお、本実施形態では、車内側側壁部１５から外方（車内側）に向かって延びる車内側意匠リップ１７が形成され、車外側側壁部１６から外方（車外側）に向かって延びる車外側意匠リップ１８が形成されている。本実施形態では、各押出成形部２，３，４及び型成形部５，６はオレフィン系熱可塑性エラストマー（ＴＰＯ）により構成されている。
【００３０】
また、図１に示すように、ドアフレームＤＦの後上コーナー部に対応する型成形部６は、上押出成形部２の端部に接続される上辺部３１と、当該上辺部３１に交わる方向に延び、縦押出成形部４の端部に接続される後縦辺部３２とにより略Ｌ字状に構成されている。
【００３１】
さらに、本実施形態では、図１，４，５に示すように、型成形部６の後縦辺部３２には、その基底部１４において硬質部材としてのインサート部材２１が埋設されている。インサート部材２１は、型成形部６の成形に際し、所謂インサート成形されることにより埋設される。
【００３２】
インサート部材２１は、基底部１４に固定される板状の基部２２と、当該基部２２に一体形成され、当該基部２２からドアフレームＤＦの後縦辺部ＤＦ２側に向かって突出する係止突部２３とを具備している。なお、本実施形態では基部２２が露出状態となっているが、完全に埋設してもよい。また、本実施形態では、基部２２の上端部２２ａが上押出成形部２の下辺延長線Ｚより上方に位置し、係止突部２３が上押出成形部２の下辺延長線Ｚより下方に位置するように配設されている。そして、ガラスラン１の取付状態にあっては、基底部１４から突出状態にある係止突部２３が、サッシュＤＳ２の上端部（被係止部）に当接または近接状態をとりうることで、サッシュＤＳ２に対し係止可能となっている。なお、本実施形態におけるインサート部材２１は、ＴＰＯよりも硬質のポリプロピレン（ＰＰ）により構成されている。より詳しくは、ＴＰＯの硬度は常温下、ショアＡタイプで７０〜８６゜であるのに対し、ＰＰの硬度は、常温下ショアＤタイプで６０゜である。
【００３３】
以上詳述したように、本実施形態では、ガラスラン１の型成形部６の基底部１４にインサート部材２１が埋設され、当該インサート部材２１の基部２２の上端部が上押出成形部２の下辺延長線Ｚより上方に位置しているため、ガラスラン１の上辺部（上押出成形部２）に後方へのズレ応力がかかった場合でも、型成形部６の後縦辺部３２の後方（図５の右方）への倒れを規制することができる。さらに、インサート部材２１の係止突部２３がサッシュＤＳ２に対し係止されることにより、型成形部６の下方へのズレ移動が規制される。結果として、サッシュＤＳ１，ＤＳ２の非形成区間Ｗにおいて、ドアガラスＧ閉時の応力に起因する型成形部６の変形を抑え、ガラスラン１の上辺部のズレ移動を防止することができる。特に、本実施形態では、インサート部材２１が、型成形部６を構成する素材（ＴＰＯ）よりも硬質の素材（ＰＰ）よりなるので、上記規制がより確実に行われる。また、比較的高温雰囲気下においても、型成形部６よりも硬いため、上記応力が繰り返しかかったとしても変形、破断等が起こりにくい。そのため、高温雰囲気下においても、ガラス開閉時の応力に起因するズレ移動をより確実に防止することができる。
【００３４】
また、インサート部材２１が型成形部６の成形に際し埋設されることから、別途インサート部材を装着したりする等の手間を省くことができ、製造に際しての作業性の低下を防止できる。さらに、インサート部材２１は、型成形部６と相溶性のある素材により構成されていることから、型成形部６からインサート部材２１が剥離したり、脱落したりしてしまうといった事態が起こりにくい。加えて、インサート部材２１の基部２２に孔開け加工等を施して型成形部６を構成する素材で連結等することを行わずとも、強固な取付状態（埋設状態）を維持することができる。但し、より強固な埋設状態を確保するべく、基部２２に孔開け加工を施してもよい。
【００３５】
（第２実施形態）
次に、第２実施形態について図６を参照しつつ説明する。但し、上記第１実施形態と同一構成部分については同一符号を付し、その説明を省略する。
【００３６】
本実施形態では、インサート部材２１の基部２２の上端部が、型成形部６の後縦辺部３２の上端部を超えて上辺部３１に回り込む位置まで達している。さらに、上押出成形部２の下辺延長線Ｚより上方位置において基部２２からドアフレームＤＦの後縦辺部ＤＦ２側に向かって突出し、かつ、後上コーナー部におけるサッシュＤＳ１，ＤＳ２の非形成区間Ｗにおいてドアフレーム（ドアフレーム本体部）ＤＦに略当接する当接突部４１を備えている。
【００３７】
本実施形態によれば、上記第１実施形態の作用効果に加え、上記当接突部４１を備えることにより、型成形部６の後縦辺部３２の後方への倒れをより確実に防止することができる。さらに、基部２２の上端部が上辺部３１に回り込んでいるため、より剛性を高めることができる。
【００３８】
尚、上記実施形態の記載内容に限定されず、例えば次のように実施してもよい。勿論、以下において例示しない他の応用例、変更例も当然可能である。
【００３９】
（ａ）上記第２実施形態の構成から基部２２や係止突部２３を省略した構成を採用してもよい。つまり、図７に示すように、上押出成形部２の下辺延長線Ｚより上方位置においてドアフレームＤＦの後縦辺部ＤＦ２側に向かって突出し、かつ、後上コーナー部におけるサッシュＤＳ１，ＤＳ２の非形成区間Ｗにおいてドアフレーム（ドアフレーム本体部）ＤＦに略当接する当接突部５１を備えた構成としてもよい。図７に示した構成では、当接突部５１が型成形部６の基底部１４表面に溶着されている。
【００４０】
（ｂ）上記第１実施形態において、インサート部材２１は、基部２２の上端部２２ａが上押出成形部２の下辺延長線Ｚより上方に位置し、係止突部２３が上押出成形部２の下辺延長線Ｚより下方に位置するように配設されている。インサート部材２１の配置構成はこれに限られるものではない。特に基部２２の下端部や係止突部２３の位置に関しては、サッシュＤＳ２の上端部（被係止部）の位置に応じて変更してもよい。例えばサッシュＤＳ２の上端部がより上方に位置している場合には上押出成形部２の下辺延長線Ｚより上方にインサート部材全体が位置する構成を採用することができる。また、基部２２の上端部２２ａや、上記第２実施形態の当接突部４１（上記当接突部５１も同様）の少なくとも一部が上押出成形部２の下辺延長線Ｚ上に重なるように配置された構成としてもよい。
【００４１】
（ｃ）上記第１，２実施形態では、係止突部２３がサッシュＤＳ２の上端部（被係止部）に係止される構成を採用しているが、係止突部２３は必ずしもサッシュＤＳ２の上端部に係止されるタイプのものに限られない。すなわち、サッシュＤＳ２に対し、透孔、切欠、凹部等を形成しておき、該透孔等に係止突部が挿通（又は嵌込）されるようにして係止されるよう構成してもよい。
【００４２】
（ｄ）上記第１，２実施形態では、押出成形部２〜４及び型成形部５，６をＴＰＯにより構成しているが、ＥＰＤＭ等の別の素材により構成してもよい。インサート部材についても同様である。つまり、インサート部材として、高密度ポリエチレン等の他のオレフィン系ポリマーを採用してもよいし、ポリエステル、ポリアミド等の他の樹脂材料を採用してもよいし、金属素材を採用してもよい。要するに、インサート部材が型成形部よりも硬質の素材で構成されていればよい。
【００４３】
（ｅ）上記第１，２実施形態におけるインサート部材２１は、型成形部６の成形に際し、所謂インサート成形されることにより埋設される構成となっているが、型成形部６に取付部（取付孔、取付溝、取付凹部）を形成しておき、当該取付部に対しインサート部材２１を溶着、接着等で接合する構成を採用してもよい。もちろん、取付部等を形成することなく、溶着、接着、固着等で接合することとしてもよい。この場合、基部２２が係止突部２３等と一体的に形成されて、基部２２が省略されたような構成としてもよい。溶着としては、振動溶着、熱板溶着等が挙げられる。
【図面の簡単な説明】
【００４４】
【図１】ガラスランの型成形部の取付状態を示す部分斜視図である。
【図２】ガラスランの概略構成を示す正面模式図である。
【図３】ガラスランの押出成形部を示す、図２のＪ−Ｊ線断面図である。
【図４】ガラスランの型成形部を示す、図２のＫ−Ｋ線断面図である。
【図５】後上コーナー部における第１実施形態の型成形部の取付状態を示す断面図である。
【図６】後上コーナー部における第２実施形態の型成形部の取付状態を示す断面図である。
【図７】後上コーナー部における別の実施形態の型成形部の取付状態を示す断面図である。
【図８】後上コーナー部における従来の型成形部の取付状態を示す断面図である。
【符号の説明】
【００４５】
１…ガラスラン、２，３，４…押出成形部、５，６…型成形部、１１…本体部、１２，１３…シールリップ、１４…基底部、２１…インサート部材、２２…基部、２３…係止突部。
【図１】
2006298071.tif 000003
【図２】
2006298071.tif 000004
【図３】
2006298071.tif 000005
【図４】
2006298071.tif 000006
【図５】
2006298071.tif 000007
【図６】
2006298071.tif 000008
【図７】
2006298071.tif 000009
【図８】
2006298071.tif 000010